【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
画像形成装置とネットワークを介して互いに接続された課金装置であって、
前記画像形成装置において音声による広告を行うための広告データを取得する取得手段と、
前記取得手段で取得した広告データを、前記画像形成装置に送信する送信手段と、
前記画像形成装置がユーザーの指示に基づいて印刷した印刷枚数及び前記広告データに基づいて音声による広告を行ったか否かに関する情報を含む印刷ログを、前記画像形成装置から受信する受信手段と、
前記受信手段で受信した印刷ログに基づいて、前記広告データに基づいて音声による広告を行った場合の方が、行っていない場合よりも安くなるように、印刷料金を算出する課金計算手段とを有することを特徴とする課金装置。
【請求項２】
前記課金計算手段は、前記印刷ログに基づいて、広告料金を算出することを特徴とする請求項１に記載の課金装置。
【請求項３】
前記広告データは任意のキーワードを含み、
前記課金計算手段は、前記広告データに基づいて音声による広告が行われた後にユーザーが入力したキーワードが、前記広告データに含まれるキーワードに一致するとみなされる場合の方が、みなされない場合又はユーザーからのキーワードの入力がない場合よりも安くなるように、前記印刷料金を算出することを特徴とする請求項１又は２に記載の課金装置。
【請求項４】
課金装置とネットワークを介して互いに接続された画像形成装置であって、
ユーザーに対して音声による広告を行うための広告データを取得する取得手段と、
ユーザーによる広告指示があった場合に、前記取得手段で取得した広告データに基づいて音声による広告を出力する出力手段と、
ユーザーの指示に基づいて印刷を行う印刷手段と、
前記印刷手段で印刷した枚数及び前記出力手段により広告を出力したか否かに関する情報を含む印刷ログを、前記課金装置に送信する送信手段とを備えることを特徴とする画像形成装置。
【請求項５】
前記広告データは任意のキーワードを含み、
前記出力手段が前記広告を出力した後に、ユーザーからのキーワードの入力を受け付ける受付手段とを更に備え、
前記送信手段は、前記出力手段により広告を出力したか否かに関する情報として、前記受付手段で受け付けたキーワードを送信することを特徴とする請求項４に記載の画像形成装置。
【請求項６】
前記広告データは任意のキーワードを含み、
前記出力手段が前記広告を出力した後に、ユーザーからのキーワードの入力を受け付ける受付手段と、
前記広告データに含まれる任意のキーワードと前記受付手段で受け付けたキーワードが一致するとみなされるか否かを判定する判定手段とを更に備え、
前記送信手段は、前記出力手段により広告を出力したか否かに関する情報として、前記判定手段による判定結果を送信することを特徴とする請求項４に記載の画像形成装置。
【請求項７】
画像形成装置とネットワークを介して互いに接続された課金装置の制御方法であって、
前記画像形成装置において音声による広告を行うための広告データを取得する取得ステップと、
前記取得ステップで取得した広告データを、前記画像形成装置に送信する送信ステップと、
前記画像形成装置がユーザーの指示に基づいて印刷した印刷枚数及び前記広告データに基づいて音声による広告を行ったか否かに関する情報を含む印刷ログを、前記画像形成装置から受信する受信ステップと、
前記受信ステップで受信した印刷ログに基づいて、前記広告データに基づいて音声による広告を行った場合の方が、行っていない場合よりも安くなるように、印刷料金を算出する課金計算ステップとを有することを特徴とする課金装置の制御方法。
【請求項８】
前記課金計算ステップは、前記印刷ログに基づいて、広告料金を算出することを特徴とする請求項７に記載の課金装置の制御方法。
【請求項９】
前記広告データは任意のキーワードを含み、
前記課金計算ステップは、前記広告データに基づいて音声による広告が行われた後にユーザーが入力したキーワードが、前記広告データに含まれるキーワードに一致するとみなされる場合の方が、みなされない場合又はユーザーからのキーワードの入力がない場合よりも安くなるように、前記印刷料金を算出することを特徴とする請求項７又は８に記載の課金装置の制御方法。
【請求項１０】
課金装置とネットワークを介して互いに接続された画像形成装置の制御方法であって、
ユーザーに対して音声による広告を行うための広告データを取得する取得ステップと、
ユーザーによる広告指示があった場合に、前記取得ステップで取得した広告データに基づいて音声による広告を出力する出力ステップと、
ユーザーの指示に基づいて印刷を行う印刷ステップと、
前記印刷ステップで印刷した枚数及び前記出力手段により広告を出力したか否かに関する情報を含む印刷ログを、前記課金装置に送信する送信ステップとを備えることを特徴とする画像形成装置の制御方法。
【請求項１１】
前記広告データは任意のキーワードを含み、
前記出力ステップが前記広告を出力した後に、ユーザーからのキーワードの入力を受け付ける受付ステップとを更に備え、
前記送信ステップは、前記出力ステップにより広告を出力したか否かに関する情報として、前記受付ステップで受け付けたキーワードを送信することを特徴とする請求項１０に記載の画像形成装置の制御方法。
【請求項１２】
前記広告データは任意のキーワードを含み、
前記出力ステップが前記広告を出力した後に、ユーザーからのキーワードの入力を受け付ける受付ステップと、
前記広告データに含まれる任意のキーワードと前記受付手段で受け付けたキーワードが一致するとみなされるか否かを判定する判定ステップとを更に備え、
前記送信ステップは、前記出力ステップにより広告を出力したか否かに関する情報として、前記判定ステップによる判定結果を送信することを特徴とする請求項１０に記載の画像形成装置の制御方法。
【手続補正２】
【補正対象書類名】明細書
【補正対象項目名】発明の名称
【補正方法】変更
【補正の内容】
【発明の名称】課金装置、画像形成装置、課金装置の制御方法、及び画像形成装置の制御方法
【手続補正３】
【補正対象書類名】明細書
【補正対象項目名】０００１
【補正方法】変更
【補正の内容】
【０００１】
本発明は、課金装置、画像形成装置、課金装置の制御方法、及び画像形成装置の制御方法に関するものである。
【手続補正４】
【補正対象書類名】明細書
【補正対象項目名】０００４
【補正方法】変更
【補正の内容】
【０００４】
上記目的を達成するため、本発明の課金装置は、画像形成装置とネットワークを介して互いに接続された課金装置であって、前記画像形成装置において音声による広告を行うための広告データを取得する取得手段と、前記取得手段で取得した広告データを、前記画像形成装置に送信する送信手段と、前記画像形成装置がユーザーの指示に基づいて印刷した印刷枚数及び前記広告データに基づいて音声による広告を行ったか否かに関する情報を含む印刷ログを、前記画像形成装置から受信する受信手段と、前記受信手段で受信した印刷ログに基づいて、前記広告データに基づいて音声による広告を行った場合の方が、行っていない場合よりも安くなるように、印刷料金を算出する課金計算手段とを有することを特徴とする。
また、本発明の画像形成装置は、課金装置とネットワークを介して互いに接続された画像形成装置であって、ユーザーに対して音声による広告を行うための広告データを取得する取得手段と、ユーザーによる広告指示があった場合に、前記取得手段で取得した広告データに基づいて音声による広告を出力する出力手段と、ユーザーの指示に基づいて印刷を行う印刷手段と、前記印刷手段で印刷した枚数及び前記出力手段により広告を出力したか否かに関する情報を含む印刷ログを、前記課金装置に送信する送信手段とを備えることを特徴とする。
また、本発明の課金装置の制御方法は、画像形成装置とネットワークを介して互いに接続された課金装置の制御方法であって、前記画像形成装置において音声による広告を行うための広告データを取得する取得ステップと、前記取得ステップで取得した広告データを、前記画像形成装置に送信する送信ステップと、前記画像形成装置がユーザーの指示に基づいて印刷した印刷枚数及び前記広告データに基づいて音声による広告を行ったか否かに関する情報を含む印刷ログを、前記画像形成装置から受信する受信ステップと、前記受信ステップで受信した印刷ログに基づいて、前記広告データに基づいて音声による広告を行った場合の方が、行っていない場合よりも安くなるように、印刷料金を算出する課金計算ステップとを有することを特徴とする。
また、本発明の画像形成装置の制御方法は、課金装置とネットワークを介して互いに接続された画像形成装置の制御方法であって、ユーザーに対して音声による広告を行うための広告データを取得する取得ステップと、ユーザーによる広告指示があった場合に、前記取得ステップで取得した広告データに基づいて音声による広告を出力する出力ステップと、ユーザーの指示に基づいて印刷を行う印刷ステップと、前記印刷ステップで印刷した枚数及び前記出力手段により広告を出力したか否かに関する情報を含む印刷ログを、前記課金装置に送信する送信ステップとを備えることを特徴とする。